(57)【要約】【課題】  火災が発生している現場などから避難するために、短時間で広げて身体を覆うことができる、熱遮蔽性・耐火性を有する熱遮蔽用具を得る。【解決手段】剛性を有する、折り畳み可能なホルダーと、一部がホルダーに接着される、遮熱シートと、ホルダーに取り付けられる第１の把持部と、を有する熱遮蔽用具であって、遮熱シートが、折り畳まれて収納される、熱遮蔽用具である。【選択図】図１
2014140605.tif 000002
【特許請求の範囲】
【請求項１】
剛性を有する、折り畳み可能なホルダーと、
一部がホルダーに接着される、遮熱シートと、
ホルダーに取り付けられる第１の把持部と、
を有する熱遮蔽用具であって、
遮熱シートが、折り畳まれて収納される、熱遮蔽用具。
【請求項２】
ホルダーが、内面を向かい合わせるように折り畳み可能なホルダーであり、
遮熱シートの一部が、ホルダーの内面に接着され、
第１の把持部が、ホルダーの外面に取り付けられ、
熱遮蔽用具が、遮熱シートに取り付けられる第２の把持部をさらに有し、
遮熱シートが、折り畳まれたホルダーの間に折り畳んで収納される、請求項１に記載の熱遮蔽用具。
【請求項３】
ホルダーが、短辺と、長辺とを有する矩形であり、
長辺の途中を折り曲げるように折り畳み可能である、請求項２に記載の熱遮蔽用具。
【請求項４】
第１の把持部及び第２の把持部が、折り畳み可能に取り付けられる、請求項２又は３に記載の熱遮蔽用具。
【請求項５】
遮熱シートが矩形であり、ホルダーが遮熱シートの第一の頂点を含む位置に接着され、第２の把持部が、遮熱シートの第一の頂点に隣り合う第二の頂点に隣接して取り付けられる、請求項２〜４のいずれか１項に記載の熱遮蔽用具。
【請求項６】
遮熱シートが矩形であり、最初にホルダーの長辺方向に平行な折り目で折り畳み、次にホルダーの短辺方向に平行な折り目で折り畳んで、ホルダーの間に収納される、請求項２〜５のいずれか１項に記載の熱遮蔽用具。
【請求項７】
遮熱シートが矩形であり、ホルダーが遮熱シートの第一の頂点を含む位置に接着され、
遮熱シートが、頂点が隣り合った２側辺を共有させた状態で矢羽根状に配置された４個の平行四辺形で構成された基本領域の集合で作られ、
矢羽根方向と交差する方向の側辺のうち矢羽根方向に隣り合ったもの同士が相反するようにかつ矢羽根方向に対し直角な方向に隣り合ったもの同士が同方向に山・谷折りとされ、
矢羽根方向に平行な側辺のうち矢羽根方向に隣り合ったもの同士並びに矢羽根方向に直角な方向に隣り合ったもの同士が相反するように山・谷折に折り畳まれるように、ホルダーの間に折り畳まれて収納される、請求項２〜５のいずれか１項に記載の熱遮蔽用具。
【請求項８】
折り畳み可能なホルダーを折り畳んだ状態に保つための留め具をさらに有する、請求項２〜７のいずれか１項に記載の熱遮蔽用具。
【請求項９】
ホルダーが、傘の骨状の形状であり、
第１の把持部である中心棒と、中心棒の先端部に一端が可動に取り付けられた複数の可動棒と、複数の可動棒を中心棒と一体に折り畳むための折り畳み機構とを備える傘状の形状であり、
遮熱シートが、複数の可動棒に取り付けられ、
複数の可動棒を折り畳むことにより、遮熱シートが、折り畳まれて収納される、請求項１に記載の熱遮蔽用具。
【請求項１０】
遮熱シートが、アルミニウムシート又はアルミニウム箔に支持シートと不織布を積層し、さらに炭粉体を含有する塗料組成物層をこの順に配設した遮熱シートである、請求項１〜９のいずれか１項に記載の熱遮蔽用具。
【発明の詳細な説明】
【技術分野】
【０００１】  本発明は、火災が発生している現場などから避難するときに使用することのできる熱遮蔽用具に関する。
【背景技術】
【０００２】  特許文献１には、プラスチックエアーバブルの外側にアルミホイル等輻射熱に対して高反射率の素材を取り付け、内側にはプラスチックシートを取り付けた遮熱断熱防炎シートにより作られた防炎コート及び防炎頭巾等避難用簡易防炎コートが開示されている。【０００３】  特許文献２には、アルミニウムシート又はアルミニウム箔に支持シートと不織布を積層し、さらに炭粉体を含有する塗料組成物層をこの順に配設したことを特徴とする遮熱シートが開示されている。【０００４】  特許文献３には、いわゆる「ミウラ折り」という折り方で折った地図が開示されている。すなわち、特許文献３には、頂点が隣り合った２側辺を共有させた状態で矢羽根状に配置された４個の平行四辺形で構成された基本領域の集合で作られ、矢羽根方向と交差する方向の側辺のうち矢羽根方向に隣り合ったもの同士が相反するようにかつ矢羽根方向に対し直角な方向に隣り合ったもの同士が同方向に山・谷折りとされ、矢羽根方向に平行な側辺のうち矢羽根方向に隣り合ったもの同士並びに矢羽根方向に直角な方向に隣り合ったもの同士が相反するように山・谷折に折り畳まれた地図が開示されている。【０００５】  特許文献４には、薄板状材料に所望の折り目を付ける薄板状材料折り装置と薄板状材料折り方法が開示されている。
【先行技術文献】
【特許文献】
【０００６】
【特許文献１】  特開２００７−２６０３６８号公報
【特許文献２】  特開２００８−６８４６５号公報
【特許文献３】  実公昭５６−２５０２３号公報
【特許文献４】  特許第３６４４９４５号公報
【発明の概要】
【発明が解決しようとする課題】
【０００７】  火災が発生している現場から避難する場合、火炎の近くを通らなければならない場合がある。そのような場合、火災による輻射熱や火に身体が接したり火の粉が身体に降りかかるなどのため、身体に火傷を負う危険性がある。熱遮蔽性・耐火性を有する避難用熱遮蔽用具によって身体を覆うことにより、火傷を避けることができる。【０００８】  しかしながら、火災が発生したことを感知した後、非難する場合には、一刻を争う。したがって、避難用熱遮蔽用具を短時間で広げて、身体を覆うことが求められている。【０００９】  本発明は、上述のような問題を解決するためになされたものである。すなわち、本発明は、火災が発生している現場などから避難するために、短時間で広げて身体を覆うことができる、熱遮蔽性・耐火性を有する熱遮蔽用具を得ることを目的とする。
【課題を解決するための手段】
【００１０】  本発明は、下記の構成１〜１０であることを特徴とする熱遮蔽用具である。【００１１】（構成１）
本発明は、剛性を有する、折り畳み可能なホルダーと、一部がホルダーに接着される、遮熱シートと、ホルダーに取り付けられる第１の把持部と、を有する熱遮蔽用具であって、遮熱シートが、折り畳まれて収納される、熱遮蔽用具である。【００１２】  本発明の熱遮蔽用具は、火災が発生している現場などから避難するために、短時間で広げて身体を覆うことができる。そのため、本発明の熱遮蔽用具を用いるならば、火災が発生している現場などから避難する際に、火災による輻射熱を遮蔽することができるので、火傷を避けることができる。【００１３】（構成２）
本発明の熱遮蔽用具では、ホルダーが、内面を向かい合わせるように折り畳み可能なホルダーであり、遮熱シートの一部が、ホルダーの内面に接着され、第１の把持部が、ホルダーの外面に取り付けられ、熱遮蔽用具が、遮熱シートに取り付けられる第２の把持部をさらに有し、遮熱シートが、折り畳まれたホルダーの間に折り畳んで収納されることができる。遮熱シートが、所定のホルダー、第１の把持部、第２の把持部を有し、遮熱シートが折り畳まれたホルダーの間に折り畳んで収納されることにより、熱遮蔽用具を小さな収納スペースに収納することができ、使用時には素早く遮熱シートを広げて使用することができる。【００１４】（構成３）
本発明の熱遮蔽用具では、ホルダーが、短辺と、長辺とを有する矩形であり、長辺の途中を折り曲げるように折り畳み可能であることができる。ホルダーが所定の形状であることにより、遮熱シートをコンパクトにホルダーに収容することができる。【００１５】（構成４）
本発明の熱遮蔽用具では、第１の把持部及び第２の把持部が、折り畳み可能に取り付けられることができる。第１の把持部及び第２の把持部が、折り畳み可能に取り付けられることにより、熱遮蔽用具全体の厚さを薄くすることができるので、熱遮蔽用具をより小さな収納スペースに収納することができる。【００１６】（構成５）
本発明の熱遮蔽用具では、遮熱シートが矩形であり、ホルダーが遮熱シートの第一の頂点を含む位置に接着され、第２の把持部が、遮熱シートの第一の頂点に隣り合う第二の頂点に隣接して取り付けられることができる。第２の把持部を有するホルダーと、第２の把持部とが、遮熱シートの隣り合う頂点に隣接することにより、遮熱シートの使用時に、遮熱シートが身体、特に頭部を覆うように第１の把持部及び第２の把持部を両手で持つことができる。【００１７】（構成６）
本発明の熱遮蔽用具では、遮熱シートが矩形であり、最初にホルダーの長辺方向に平行な折り目で折り畳み、次にホルダーの短辺方向に平行な折り目で折り畳んで、ホルダーの間に収納されることができる。遮熱シートが所定の形に折り畳まれてホルダーの間に収納されることにより、遮熱シートをコンパクトにホルダーに収容することができ、かつ使用時には素早く遮熱シートを広げることができ、かつ素早く収納も可能で、繰り返し使用できる。【００１８】（構成７）
本発明の熱遮蔽用具では、
遮熱シートが矩形であり、ホルダーが遮熱シートの第一の頂点を含む位置に接着され、
遮熱シートが、頂点が隣り合った２側辺を共有させた状態で矢羽根状に配置された４個の平行四辺形で構成された基本領域の集合で作られ、
矢羽根方向と交差する方向の側辺のうち矢羽根方向に隣り合ったもの同士が相反するようにかつ矢羽根方向に対し直角な方向に隣り合ったもの同士が同方向に山・谷折りとされ、
矢羽根方向に平行な側辺のうち矢羽根方向に隣り合ったもの同士並びに矢羽根方向に直角な方向に隣り合ったもの同士が相反するように山・谷折に折り畳まれるように、ホルダーの間に折り畳まれて収納されることができる。【００１９】  遮熱シートが、いわゆる「ミウラ折り」という折り方で折られることにより、遮熱シートをコンパクトにホルダーに収容することができ、かつ使用時には素早く遮熱シートを広げることができる。【００２０】（構成８）
本発明の熱遮蔽用具では、折り畳み可能なホルダーを折り畳んだ状態に保つための留め具をさらに有することができる。熱遮蔽用具が留め具を有することにより、ホルダーに遮熱シートをコンパクトに収容した状態を保つことができる。【００２１】（構成９）
本発明の熱遮蔽用具では、ホルダーが、傘の骨状の形状であり、第１の把持部である中心棒と、中心棒の先端部に一端が可動に取り付けられた複数の可動棒と、複数の可動棒を中心棒と一体に折り畳むための折り畳み機構とを備える傘状の形状であり、遮熱シートが、複数の可動棒に取り付けられ、複数の可動棒を折り畳むことにより、遮熱シートが、折り畳まれて収納されることができる。熱遮蔽用具が、構成９のような形状を有する場合にも、熱遮蔽用具を小さな収納スペースに収納することができ、使用時には素早く遮熱シートを広げて使用することができる。【００２２】（構成１０）
本発明の熱遮蔽用具では、遮熱シートが、アルミニウムシート又はアルミニウム箔に支持シートと不織布を積層し、さらに炭粉体を含有する塗料組成物層をこの順に配設した遮熱シートであることができる。遮熱シートが、このような構造であることにより、遮熱を確実に行うことができる。
【発明の効果】
【００２３】  本発明により、火災が発生している現場などから避難するために、短時間で広げて身体を覆うことができる、熱遮蔽性・耐火性を有する熱遮蔽用具を得ることができる。
【図面の簡単な説明】
【００２４】
【図１】  本発明の熱遮蔽用具の第１実施形態の一例の正面図である。
【図２】  本発明の熱遮蔽用具の第１実施形態の一例の背面図である。
【図３】  本発明の熱遮蔽用具の第１実施形態の一例の左側面図である。
【図４】  本発明の熱遮蔽用具の第１実施形態の一例の右側面図である。
【図５】  本発明の熱遮蔽用具の第１実施形態の一例の上面図である。
【図６】  本発明の熱遮蔽用具の第１実施形態の一例の底面図である。
【図７】  本発明の第１実施形態の、操作手順の第１を説明するための、（ａ）正面図及び（ｂ）右側面図である。
【図８】  本発明の第１実施形態の、操作手順の第２を説明するための図である。
【図９】  本発明の第１実施形態の、操作手順の第３を説明するための、（ａ）正面図及び（ｂ）上面図である。
【図１０】  本発明の第１実施形態の、操作手順の第４を説明するための、（ａ）正面図及び（ｂ）上面図である。
【図１１】  本発明の第１実施形態の、操作手順の第５を説明するための、（ａ）正面図及び（ｂ）上面図である。
【図１２】  本発明の熱遮蔽用具の第２実施形態のホルダーの一例を示す模式図である。
【図１３】  本発明の熱遮蔽用具に用いることのできる遮熱シートの構造を示す模式図である。
【発明を実施するための形態】
【００２５】  本発明は、剛性を有する、折り畳み可能なホルダー２０と、一部がホルダー２０に接着される、遮熱シート３０と、ホルダー２０に取り付けられる第１の把持部１１と、を有する熱遮蔽用具１０であって、遮熱シート３０が、折り畳まれて収納される、熱遮蔽用具１０である。本発明の熱遮蔽用具１０は、遮熱シート３０を広げ、第１の把持部１１を手で保持することにより、火災が発生している現場など、高温の場所から避難する際に、火災による輻射熱を遮蔽し、火に身体が接したり火の粉が身体に降りかかるなどを防止することができる。遮熱シート３０が、折り畳まれて収納されるので、常時の収納にも便利である。
【００２６】  本発明の熱遮蔽用具１０は、剛性を有する、折り畳み可能なホルダー２０を有する。
【００２７】  ホルダー２０の材料としては、金属材料、プラスチック樹脂材料及びセラミック材料等、剛性を有する材料であればどのような材料であっても用いることができる。加工が容易であることから、ホルダー２０の材料としては、金属材料、プラスチック樹脂材料、及びそれらの組み合わせから選択して用いることができる。
【００２８】  ホルダー２０の形状は、遮熱シート３０を、折り畳んで収納されるような形状であればどのような形状であってもよい。ホルダー２０の形状は、例えば、折り畳み可能な板状のホルダー２０の形状であり、折り畳んだホルダー２０の内側に収納することができる。また、ホルダー２０の形状は、傘の骨状の形状であることができる。傘の骨に相当する部分に遮熱シート３０を取り付けることにより、傘のように、遮熱シート３０を折り畳んで収納することができる。
【００２９】  次に、本発明の熱遮蔽用具１０の第１実施形態について、図１〜図６を参照して説明する。図１〜図６には、それぞれ第１実施形態の正面図、背面図、左側面図、右側面図、上面図及び底面図を示す。
【００３０】  本発明の熱遮蔽用具１０の第１実施形態では、ホルダー２０が、内面を向かい合わせるように折り畳み可能なホルダー２０である。遮熱シート３０の一部は、ホルダーの内面（ホルダーの外面２５とは反対側の面）に接着される。ホルダーの外面２５には、第１の把持部１１が取り付けられる。また、本発明の熱遮蔽用具１０の第１実施形態では、遮熱シート３０に取り付けられる第２の把持部１２をさらに有する。遮熱シート３０は、折り畳まれたホルダー２０の間に折り畳んで収納されることができる。
【００３１】  図１に示すように、本発明の熱遮蔽用具１０の第１実施形態では、ホルダー２０が、ホルダーの内面を向かい合わせるように折り畳み可能である。
【００３２】  図１に示すように、ホルダー２０には折り畳み折り目２１が設けられている。図１では、ホルダー２０の外面２５が見えている様子を示す。図７には、ホルダー２０の内面を向かい合わせるように折り畳まれ、ホルダー２０が折り畳まれている状態を示す。折り畳まれたホルダー２０の間には、遮熱シート３０が折り畳んで収納される。遮熱シート３０がこのように収納されることにより、常時でも、熱遮蔽用具１０を、場所を取らずに収納することができる。
【００３３】  図１に示すように、第１実施形態では、ホルダー２０が、短辺２６と、長辺２７とを有する矩形（長方形及び正方形等）であり、長辺２７の途中を折り曲げるように折り畳み可能であることが好ましい。ホルダー２０がこのような構造を有することにより、常時でも、熱遮蔽用具１０を、簡便に場所を取らずに収納することができる。なお、図１に示す例では、遮熱シート３０の端部に遮熱シート留め具２２Ａを有しており、ホルダー２０を折り畳んでホルダー２０の外面２５に配置された遮熱シート留め具２２Ｂと、遮熱シート留め具２２Ａとを留めることにより、遮熱シート３０が折り畳まれた状態を保つことができる。さらに、本発明の熱遮蔽用具１０は、折り畳んだホルダー２０を留めるためのホルダー留め具２３を有することができる。遮熱シート留め具２２及びホルダー留め具２３は、例えば雄雌はめ込みタイプのボタンを用いることができる。
【００３４】  第１実施形態では、ホルダー２０の材料は、プラスチック樹脂、例えばポリプロピレンを用いることができる。折り目を付けやすく、繰り返し折り畳んでも破壊し難いことから、ホルダー２０の材料は、ポリプロピレンを用いることが好ましい。ホルダー２０の厚さは、折り畳みを容易にするなどの点から、０．１〜５ｍｍであることが好ましく、０．２〜３ｍｍであることがより好ましく、０．５〜２ｍｍであることがさらに好ましい。
【００３５】  第１実施形態では、ホルダー２０の大きさは、折り畳んだ遮熱シート３０を収納することができる大きさである。具体的には、折り畳み可能なホルダー２０の折り畳んだときの寸法は、一辺の２００〜６５０ｍｍであることが好ましく、２００〜３００ｍｍであることがより好ましい。
【００３６】  第１実施形態では、遮熱シート３０の一部が、ホルダーの内面に接着されている。ホルダー２０と、遮熱シート３０との接着は、接着剤及び両面テープなどを用いた接着、遮熱シート３０又はホルダー２０の材料を溶かすことによる融着などによって、行うことができる。
【００３７】  本発明の熱遮蔽用具１０は、遮熱シート３０が矩形（長方形及び正方形等）であることが好ましい。遮熱シート３０が矩形であることにより、矩形のホルダー２０に折り畳んで収納することが容易である。
【００３８】  遮熱シート３０の大きさは、広げたときに身体を十分に覆うことができる大きさであることが好ましい。具体的には、遮熱シート３０の寸法は、広げた状態で一辺の長さが５００〜２０００ｍｍであることが好ましく、一辺の長さが１０００〜１８００ｍｍであることがより好ましく、一辺の長さが１２００〜１６００ｍｍであることがさらに好ましい。
【００３９】  本発明の第１実施形態の熱遮蔽用具１０は、少なくとも第１の把持部１１及び第２の把持部１２の、少なくとも二つの把持部を有する。熱遮蔽用具１０を使用するときに、遮熱シート３０を広げ、第１の把持部１１及び第２の把持部１２を両手で保持する（第１の把持部１１を右手で保持し、第２の把持部１２を左手で保持する）ことにより、火災が発生している現場などから避難する際に、火災による輻射熱を遮蔽することができ、火に身体が接したり火の粉が身体に降りかかるなどを防止することができる。なお、本発明の熱遮蔽用具１０は、第１の把持部１１及び第２の把持部１２以外の把持部を予備の把持部として有することができる。
【００４０】  図１及び図４に示すように、本発明の熱遮蔽用具１０の第１実施形態では、第１の把持部１１が、ホルダーの外面２５に取り付けられる。図８に示すように、第１の把持部１１は、ホルダー２０の一部に切れ目を入れることにより、ホルダー２０と一体の構造とすることができる。すなわち、図１、図４及び図８に示す例では、第１の把持部１１は、折り畳み可能に取り付けられている。このような構造とすることにより、第１の把持部１１のために新たな部材を追加することが不要なので、低コストの熱遮蔽用具１０を得ることができる。
【００４１】  図１（正面図）及び図３（左側面図）に示すように、本発明の熱遮蔽用具１０の第１実施形態では、熱遮蔽用具１０が、遮熱シート３０に取り付けられる第２の把持部１２をさらに有する。図１１には、熱遮蔽用具１０の使用前に、第２の把持部１２が遮熱シート３０に接している状態を示している。第２の把持部１２を構成する部材は、英字のＤのような形状をしており、その一部を遮熱シート３０と接着することにより、第２の把持部１２となる。熱遮蔽用具１０を使用する際には、図１（正面図）及び図３（左側面図）に示すように、第２の把持部１２を手前に折り曲げるようにすることにより、手で保持することができる。すなわち、図１、図３及び図８に示す例では、第２の把持部１２は、折り畳み可能に取り付けられている。
【００４２】  本発明の熱遮蔽用具１０は、第１の把持部１１及び第２の把持部１２が、折り畳み可能に取り付けられることが好ましい。上述の図１、図３、図４及び図８に示す例のように、第１の把持部１１及び第２の把持部１２が、折り畳み可能に取り付けられることにより、第１の把持部１１及び第２の把持部１２をホルダー２０及び遮熱シート３０に対して同一平面的になる。したがって図８に示すように、常時の保管の際に場所を取らない形状とすることができる。
【００４３】  第２の把持部１２を構成する部材の材料は、ホルダー２０と同様の材料を用いることができる。
【００４４】  本発明の熱遮蔽用具１０の第１実施形態では、遮熱シート３０が、折り畳まれたホルダー２０の間に折り畳んで収納される。図７に、遮熱シート３０がホルダー２０の間に折り畳んで収納されている状態を示す。本発明の熱遮蔽用具１０の第１実施形態では、遮熱シート３０が、折り畳まれたホルダー２０の間に折り畳んで収納されるので、常時には、熱遮蔽用具１０を小さな収納スペースに収納することができる。
【００４５】  図１に示すように、本発明の熱遮蔽用具１０の第１実施形態では、遮熱シート３０が矩形であり、ホルダー２０が遮熱シート３０の第一の頂点３２を含む位置に接着され、第２の把持部１２が、遮熱シート３０の第一の頂点３２に隣り合う第二の頂点３４に隣接して取り付けられることが好ましい。第２の把持部１２を有するホルダー２０と、第２の把持部１２とが、遮熱シート３０の隣り合う頂点に隣接することにより、遮熱シート３０の使用時に、遮熱シート３０が身体、特に頭部を覆うように第１の把持部１１及び第２の把持部１２を両手で持つことができる。
【００４６】  本発明の熱遮蔽用具１０の第１実施形態では、遮熱シート３０の折り畳み方法が、次に述べる第１の折り畳み方法であることが好ましい。
【００４７】  本発明の熱遮蔽用具１０に用いる第１の折り畳み方法では、遮熱シート３０が矩形であり、最初にホルダー２０の長辺２７方向に平行な折り目３６Ａ、３６Ｂで折り畳み、次にホルダー２０の短辺２６方向に平行な折り目３７Ａ、３７Ｂで折り畳んで、ホルダー２０の間に収納されることが好ましい。具体的には、図１に示す遮熱シート３０において、ホルダー２０の長辺２７方向に平行な折り目３６Ａ（実線で示す）を山状に、折り目３６Ｂ（二点鎖線で示す）を谷状になるように折り畳み、図８に示すような形状にする。次に、図８に示すように折り畳んだ遮熱シート３０をさらに、ホルダー２０の短辺２６方向に平行な折り目３７Ａ（実線で示す）を山状に、３７Ｂ（二点鎖線で示す）を谷状になるように折り畳む。さらに、折り畳んだ遮熱シート３０がホルダー２０の間に収納されるように、ホルダー２０の折り畳み折り目２１を折り畳むことにより、図７に示すように遮熱シート３０が収納された熱遮蔽用具１０を得ることができる。遮熱シート３０が所定の形に折り畳まれてホルダー２０の間に収納されることにより、遮熱シート３０をコンパクトにホルダー２０に収容することができ、かつ使用時には素早く遮熱シート３０を広げることができる。
【００４８】  本発明の熱遮蔽用具１０の第１実施形態では、遮熱シート３０の折り畳み方法が、次に述べる第２の折り畳み方法であることもできる。
【００４９】  本発明の熱遮蔽用具１０に用いる第２の折り畳み方法では、矩形の遮熱シート３０を、いわゆる「ミウラ折り」という方法で折り畳むことができる。このように遮熱シート３０を折り畳むことにより、遮熱シート３０をコンパクトにホルダー２０に収容することができ、かつ使用時には素早く遮熱シート３０を広げることができる。
【００５０】  具体的には、第２の折り畳み方法に用いる遮熱シート３０は矩形であり、ホルダー２０が遮熱シート３０の第一の頂点３２を含む位置に接着される。第２の折り畳み方法は、具体的には、遮熱シート３０が、頂点が隣り合った２側辺を共有させた状態で矢羽根状に配置された４個の平行四辺形で構成された基本領域の集合で作られる。矢羽根方向と交差する方向の側辺のうち矢羽根方向に隣り合ったもの同士が相反するようにかつ矢羽根方向に対し直角な方向に隣り合ったもの同士が同方向に山・谷折りとされる。矢羽根方向に平行な側辺のうち矢羽根方向に隣り合ったもの同士並びに矢羽根方向に直角な方向に隣り合ったもの同士が相反するように山・谷折に折り畳まれるように、ホルダー２０の間に折り畳まれて収納される。このような、いわゆる「ミウラ折り」という第２の折り畳み方法で折り畳んだ場合でも、遮熱シート３０が所定の形に折り畳まれてホルダー２０の間に収納されることにより、遮熱シート３０をコンパクトにホルダー２０に収容することができ、かつ使用時には素旱く遮熱シート３０を広げることができる。
【００５１】  本発明の熱遮蔽用具１０は、折り畳み可能なホルダー２０を折り畳んだ状態に保つための留め具をさらに有することが好ましい。図７に示す例では、遮熱シート留め具２２によって、折り畳んだホルダー２０を留めている状態を示す。さらに、本発明の熱遮蔽用具１０は、折り畳んだホルダー２０を留めるためのホルダー留め具２３を有することができる。熱遮蔽用具１０が留め具を有することにより、ホルダー２０に遮熱シート３０をコンパクトに収容した状態を保つことができる。
【００５２】  次に、本発明の熱遮蔽用具１０の第１実施形態の使用方法について説明する。
【００５３】  本発明の熱遮蔽用具１０の第１実施形態では、遮熱シート３０がホルダー２０に収容されて、ホルダー２０はホルダー留め具２３によって留められている。熱遮蔽用具１０を使用する際には、まず初めに、図７に示すように、ホルダー留め具２３を外す。次に、ホルダー２０を開くと、図８に示すように折り畳まれた熱遮蔽用具１０が広がり始めるが、まだこの段階では、遮熱シート３０は遮熱シート留め具２２によって留められている。次に、図９に示すように、折り畳まれている第１の把持部１１を手前に折り曲げる。次に、図１０に示すように、遮熱シート留め具２２を外し、図１１に示すように遮熱シートを広げる。第２の把持部１２を広げることにより、図１に示すような形状の熱遮蔽用具１０を得ることができる。第１の把持部１１及び第２の把持部１２を両手で持ち、遮熱シート３０で身体を覆うことにより、火災が発生している現場などから避難する際に、火災による輻射熱を遮蔽することができ、火に身体が接したり火の粉が身体に降りかかるなどを防止することができる。
【００５４】  次に、本発明の熱遮蔽用具１０の第２実施形態について、図１２を参照して説明する。
【００５５】  図１２に示すように、本発明の熱遮蔽用具１０の第２実施形態では、ホルダー２０が、傘の骨状の形状であり、第１の把持部１１である中心棒５１と、中心棒５１の先端部５２に一端が可動に取り付けられた複数の可動棒５３と、複数の可動棒５３を中心棒５１と一体に折り畳むための折り畳み機構５４とを備える傘状の形状であり、遮熱シート３０が、複数の可動棒５３に取り付けられ、複数の可動棒５３を折り畳むことにより、遮熱シート３０が、折り畳まれて収納されることが好ましい。
【００５６】  第２実施形態の熱遮蔽用具１０は、傘のような構造をしている。そのため、第１の把持部１１である中心棒５１を手で保持して、折り畳み機構５４を操作することにより、中心棒５１の先端部５２に一端が可動に取り付けられた複数の可動棒５３を開くことにより、複数の可動棒５３に取り付けられた遮熱シート３０を開くことができる。その結果、遮熱シート３０を傘のように広げることができるので、火災が発生している現場などから避難する際に、火災による輻射熱を遮蔽することができ、火に身体が接したり火の粉が身体に降りかかるなどを防止することができる。
【００５７】  本発明の熱遮蔽用具１０の遮熱シート３０は、遮熱性を有する材料であれば、どのようなものでも用いることができる。特に遮熱性に優れることがから、本発明の熱遮蔽用具１０に用いる遮熱シート３０は、図１３に示すような、アルミニウムシート又はアルミニウム箔に支持シートと不織布を積層し、さらに炭粉体を含有する塗料組成物層をこの順に配設した遮熱シート３０であることが好ましい。
【００５８】  さらに、本発明の避難用熱遮蔽用具に好適に用いることのできる遮熱シート３０について説明する。
【００５９】  本発明に好適に用いることのできる遮熱シート３０は、図１３に示すような遮熱シート３０である。図１３に示す遮熱シートでは、符号１はアルミニウムシート又はアルミニウム箔、符号２はポリエチレンテレフタレート（ＰＥＴ）樹脂よりなる支持シートで、接着剤３によってアルミニウムシート又はアルミニウム箔１に接着積層されている。符号４はポリエチレンテレフタレート（ＰＥＴ）樹脂より形成された不織布で上記した支持シート２に接着剤５によって接着支持され積層されている。符号６は樹脂塗料に炭粉末が配合された炭塗料組成物層で不織布４に塗布して設けられている。
【００６０】  本発明に好適に用いることのできる遮熱シート３０は、厚さが０．２ｍｍ〜０．５ｍｍと極めて薄く形成することができる。したがって、発泡系の断熱材料に比べて軽量かつ薄くアルミニウムシート又はアルミニウム箔の剛性によって広範な形状に切断・成形が容易となる特性を備えている。特にアルミニウムシート又はアルミニウム箔１が輻射熱に対して反射効率が高いので高断熱作用があるので、本発明の避難用熱遮蔽用具に好適に用いることができる。
【００６１】  また、支持シート２はポリエチレンテレフタレート（ＰＥＴ）樹脂で成形されており、不織布が支持シートに接着支持されて補強されると共にアルミニウムシート又はアルミニウム箔１と一体化する仲立ちの役割りと電気伝導を防ぐ絶縁作用を有している。そのため、避難経路に切断された電線がある場合でも、感電を防止することができる。さらに、支持シート２と不織布４はポリエチレンテレフタレート（ＰＥＴ）樹脂が使用されているため、廃棄の際に溶解してアルミニウムと分別でき再利用に供することができる。
【００６２】  次に炭塗料組成物層６について説明する。本発明に好適に用いることのできる遮熱シート３０では、塗料組成物がポリアミド樹脂塗料に炭粉体が配合されたものであることが好ましい。ポリアミド樹脂塗料としては、ポリアミド樹脂（共重合タイプのナイロン樹脂）が用いられ、溶剤としてメタノール、エタノール、プロパノール及びこれらの混合物が用いられる。炭粉末は、人工的に製造されたもの、自然物である木から製造されたものなど、いずれであっても用いることができる。例えば、炭粉末として、カシやナラ等の木から作られる木炭を微粉末にしたもので、姥女樫（ウバメガシ）の木を９００〜１４００度位の高温で焼いた備長炭を代表とする白炭と、ナラやクヌギや赤松の木を４００〜６００度位で焼いて作られる黒炭を使用することができる。また、木炭として、黒炭に加え、白炭も用いることができる。白炭は空気の浄化作用、電磁波吸着作用及び炭から発生するマイナス電子が空気中の水分に触れることでマイナス帯電状態（マイナスイオン）となって酸化抑制作用に、黒炭は吸湿による調湿・抗菌・防虫作用に特に優れていることが知られている。黒炭及び白炭を混合した木炭は多孔質であり粉末化が容易なので１０〜３０μｍの微粉末を得ることができる。黒炭及び白炭のそれぞれを、単独で炭粉末として用いることもできる。
【００６３】  本発明の遮熱シート３０では、上記したポリアミド樹脂に１０〜３０μｍの微粉末化され、白炭と黒炭が５０％ずつ配合された木炭粉末を塗料に対して１０〜３０％混合した炭塗料組成物を使用している。この炭塗料組成物を不織布４に刷毛やローラ等にて１〜２回塗布して炭塗料組成物層６を形成している。なお木炭粉末の混合割合は塗料に対して５０％位までは実用的である。
【００６４】  以上、本発明の熱遮蔽用具の実施形態について具体的に説明したが、本発明は、上記実施形態に限定されるものではない。上記実施形態は、例示であり、本発明の特許請求の範囲に記載された技術的思想と実質的に同一な構成を有し、同様な効果を奏するものは、本発明の技術的範囲に包含される。
【符号の説明】
【００６５】１  アルミニウムシート又はアルミニウム箔
２  支持シート
３  接着剤
４  不織布
５  接着剤
６  炭塗料組成物層
１０  熱遮蔽用具
１１  第１の把持部
１２  第２の把持部
２０  ホルダー
２１  折り畳み折り目
２２、２２Ａ、２２Ｂ  遮熱シート留め具
２３  ホルダー留め具
２５  ホルダーの外面
２６  ホルダー２０の短辺
２７  ホルダー２０の長辺
３０  遮熱シート
３２  第一の頂点
３４  第二の頂点
３６Ａ、３６Ｂ  ホルダーの長辺方向に平行な折り目
３７Ａ、３７Ｂ  ホルダーの短辺方向に平行な折り目
５１  中心棒
５２  先端部
５３  可動棒
５４  折り畳み機構
【図１】
2014140605.tif 000003
【図２】
2014140605.tif 000004
【図３】
2014140605.tif 000005
【図４】
2014140605.tif 000006
【図５】
2014140605.tif 000007
【図６】
2014140605.tif 000008
【図７】
2014140605.tif 000009
【図８】
2014140605.tif 000010
【図９】
2014140605.tif 000011
【図１０】
2014140605.tif 000012
【図１１】
2014140605.tif 000013
【図１２】
2014140605.tif 000014
【図１３】
2014140605.tif 000015